(57)【要約】      （修正有）【課題】錠剤マスに手撒きする錠剤のセット位置を、ユーザが間違える可能性を低減する仕組みを提供する。【解決手段】錠剤マスが配置された順で、錠剤マスごとの錠剤を前記錠剤マスごとに順次１包化する包装システムにおいて、処方データに従って、前記順次１包化される順に配置された各錠剤マスの前記エリアに、１日の各服用時が連続して、服用日毎に割り当てられ、当該割り当てられた服用時を識別できるように、当該エリアがガイダンス画面として表示される。服用日数の数が、錠剤マスの数を超えた場合に、エリアの数分服用時が割り当てられた前記エリアが表示される第１ガイダンス画面を表示後、エリアに残りの服用日数分の服用時が割り当てられた前記エリアが表示される第２ガイダンス画面を表示、錠剤マスの１マス目に対応するエリアに割り当てられた服用時が、第１ガイダンス画面と前記第２ガイダンス画面とで同じになることを条件に、表示を切り替える。【選択図】図１１
2019107352.tif 000002
【特許請求の範囲】
【請求項１】
錠剤を分包する順に配置された、錠剤が手撒きされる複数の錠剤マスを備え、前記錠剤マスが配置された順で、錠剤マスごとの錠剤を前記錠剤マスごとに順次１包化する包装システムであって、
前記錠剤マスに手撒きする錠剤の服用日数、及び服用時を含む処方データを取得する取得手段と、
前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、
前記表示手段による表示を制御する制御手段と
を備え、
前記表示手段は、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示し、
前記制御手段は、前記錠剤マスの１マス目に対応する前記エリアに割り当てられた服用時が、前記第１ガイダンス画面と前記第２ガイダンス画面とで同じになることを条件に、前記表示手段による表示を切り替えるように制御することを特徴とする包装システム。
【請求項２】
前記制御手段は、前記錠剤マスの１マス目に対応する前記エリアに割り当てられた服用時が、前記第１ガイダンス画面と前記第２ガイダンス画面とで同じになることを条件に、前記第１ガイダンス画面と前記第２ガイダンス画面とで、前記錠剤マスの１マス目に対応する前記エリアに割り当てられた服用時が異なるように変更した、前記第１ガイダンス画面と前記第２ガイダンス画面とを前記表示手段により表示するように制御することを特徴とする請求項１に記載の包装システム。
【請求項３】
前記制御手段は、前記錠剤マスの１マス目に対応する前記エリアに割り当てられた服用時が、前記第１ガイダンス画面と前記第２ガイダンス画面とで同じになることを条件に、その旨をユーザが識別可能となるような通知画面を前記表示手段により表示するように制御することを特徴とする請求項１に記載の包装システム。
【請求項４】
前記取得手段で取得する処方データには、各服用時の錠剤数、および錠剤の種類を含み、
前記取得手段で取得した、処方データを用いて、全服用時で錠剤数、および錠剤の種類が同じであるかを判定する判定手段を備え、
前記判定手段により、全服用時で錠剤数、および錠剤の種類が同じであると判定された場合に、前記制御手段は、前記錠剤マスの１マス目に対応する前記エリアに割り当てられた服用時が、前記第１ガイダンス画面と前記第２ガイダンス画面とで同じになったとしても、前記表示手段による表示を切り替えるように制御しないことを特徴とする請求項１乃至３のいずれか１項に記載の包装システム。
【請求項５】
前記表示手段は、前記服用日数の数が、前記錠剤マスの数を超えないことを条件に、前記第１ガイダンス画面を表示した後に、前記第２ガイダンス画面を表示しないことを特徴とする請求項１乃至４のいずれか１項に記載の包装システム。
【請求項６】
錠剤を分包する順に配置された、錠剤が手撒きされる複数の錠剤マスを備え、前記錠剤マスが配置された順で、錠剤マスごとの錠剤を前記錠剤マスごとに順次１包化する包装システムの制御方法であって、
前記錠剤マスに手撒きする錠剤の服用日数、及び服用時を含む処方データを取得する取得工程と、
前記複数の錠剤マスと同一の配置で、前記複数の錠剤マスに対応する複数のエリアをガイダンス画面として表示し、前記取得工程で取得した処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示工程と、
前記表示工程における表示を制御する制御工程と
を備え、
前記表示工程は、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示し、
前記制御工程は、前記錠剤マスの１マス目に対応する前記エリアに割り当てられた服用時が、前記第１ガイダンス画面と前記第２ガイダンス画面とで同じになることを条件に、前記表示工程における表示を切り替えるように制御することを特徴とする包装システムの制御方法。
【請求項７】
錠剤を分包する順に配置された、錠剤が手撒きされる複数の錠剤マスを備え、前記錠剤マスが配置された順で、錠剤マスごとの錠剤を前記錠剤マスごとに順次１包化する包装システムで読み取り実行可能なプログラムであって、
前記包装システムを、
前記錠剤マスに手撒きする錠剤の服用日数、及び服用時を含む処方データを取得する取得手段と、
前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、
前記表示手段による表示を制御する制御手段と
して機能させ、
前記表示手段は、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示し、
前記制御手段は、前記錠剤マスの１マス目に対応する前記エリアに割り当てられた服用時が、前記第１ガイダンス画面と前記第２ガイダンス画面とで同じになることを条件に、前記表示手段による表示を切り替えるように制御することを特徴とするプログラム。
【請求項８】
錠剤を分包する順に配置された、錠剤が手撒きされる複数の錠剤マスを備え、前記錠剤マスが配置された順で、錠剤マスごとの錠剤を前記錠剤マスごとに順次１包化する包装システムであって、
前記錠剤マスに手撒きする錠剤の服用日数、及び服用時を含む処方データを取得する取得手段と、
前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、
前記錠剤マスの数を、前記取得手段で取得した服用時の数で除算したときに、余剰が発生するかを判定する判定手段と
を備え、
前記表示手段は、前記判定手段による判定結果に基づいた表示を行うことを特徴とする包装システム。
【請求項９】
錠剤を分包する順に配置された、錠剤が手撒きされる複数の錠剤マスを備え、前記錠剤マスが配置された順で、錠剤マスごとの錠剤を前記錠剤マスごとに順次１包化する包装システムの制御方法であって、
前記錠剤マスに手撒きする錠剤の服用日数、及び服用時を含む処方データを取得する取得工程と、
前記複数の錠剤マスと同一の配置で、前記複数の錠剤マスに対応する複数のエリアをガイダンス画面として表示し、前記取得工程で取得した処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示工程と、
前記錠剤マスの数を、前記取得工程で取得した服用時の数で除算したときに、余剰が発生するかを判定する判定工程と
を備え、
前記表示工程は、前記判定工程における判定結果に基づいた表示を行うことを特徴とする包装システムの制御方法。
【請求項１０】
錠剤を分包する順に配置された、錠剤が手撒きされる複数の錠剤マスを備え、前記錠剤マスが配置された順で、錠剤マスごとの錠剤を前記錠剤マスごとに順次１包化する包装システムで読み取り実行可能なプログラムであって、
前記包装システムを、
前記錠剤マスに手撒きする錠剤の服用日数、及び服用時を含む処方データを取得する取得手段と、
前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、
前記錠剤マスの数を、前記取得手段で取得した服用時の数で除算したときに、余剰が発生するかを判定する判定手段と
して機能させ、
前記表示手段は、前記判定手段による判定結果に基づいた表示を行うことを特徴とするプログラム。
【発明の詳細な説明】
【技術分野】
【０００１】
本発明は、包装システム、包装システムの制御方法、およびプログラムに関し、特に、錠剤マスに手撒きする錠剤のセット位置を、ユーザが間違える可能性を低減することが可能な仕組みに関する。
【背景技術】
【０００２】
従来、調剤業務において、ＰＴＰシートで提供されている錠剤（薬）の一包化を行うために、人の手によってＰＴＰシートから錠剤を１回分の錠剤数ずつ取り出し、分包機の錠剤マスに手撒きでセットする作業が行われている。
【０００３】
このような手撒きのセット作業を支援するために、特許文献１には、どの枡４にどの薬剤を手撒きすればよいのかが一目で分かるように、表示装置にトレイの枡に対応するように格子状の枠を表示し、各手撒きパターンに応じて各処方を識別可能に表示する。例えば、Ａ処方が３包であれば、Ａ１、Ａ２、Ａ３を、順次、包装順に各枠内に表示させる技術が開示されている。
【先行技術文献】
【特許文献】
【０００４】
【特許文献１】特開２００９−９５６５４号公報
【発明の概要】
【発明が解決しようとする課題】
【０００５】
ところで、錠剤の包装数が錠剤マスの数を超える場合、一旦手撒きマスの数の分だけ包装した後に（１回目）、残りの包装数分の錠剤を錠剤マスに手撒きする（２回目）という運用が行われている。
【０００６】
上述の運用においては、異なる服用タイミング（服用時とも呼ぶ）の錠剤を繰り返し分包するパターン（例えば、１包目から朝食後、夕食後、朝食後、・・・の順で分包するパターン）において、１回目と２回目で、１マス目（１包目）の錠剤マスに手撒きする錠剤の服用タイミングは異なる場合があるが、ユーザが、２回目の錠剤を錠剤マスに撒く際に、誤って、１回目と同じ服用タイミングの錠剤を１マス目（１包目）に手撒きしてしまう恐れがあった。
【０００７】
特許文献１は、手撒きする錠剤数をマス毎に表示しているだけであり、上述したケースにおいては、特に、服用タイミングごとで錠剤の種類が異なるが、包装する錠剤数が同じである場合等に、２回目に錠剤マスに錠剤を手撒きする際に、間違った服用タイミングの錠剤を錠剤マスに投入し調剤過誤が発生してしまう可能性がある。
【０００８】
このように、１日に多くの処方箋を処理する調剤薬局の作業を効率的でかつ安全に行うための対応が求められていた。
【０００９】
本発明は、錠剤マスに手撒きする錠剤のセット位置を、ユーザが間違える可能性を低減することが可能な仕組みを提供することを目的とする。
【課題を解決するための手段】
【００１０】
本発明は、錠剤を分包する順に配置された、錠剤が手撒きされる複数の錠剤マスを備え、前記錠剤マスが配置された順で、錠剤マスごとの錠剤を前記錠剤マスごとに順次１包化する包装システムであって、前記錠剤マスに手撒きする錠剤の服用日数、及び服用時を含む処方データを取得する取得手段と、前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、前記表示手段による表示を制御する制御手段とを備え、前記表示手段は、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示し、前記制御手段は、前記錠剤マスの１マス目に対応する前記エリアに割り当てられた服用時が、前記第１ガイダンス画面と前記第２ガイダンス画面とで同じになることを条件に、前記表示手段による表示を切り替えるように制御することを特徴とする。
【００１１】
また、本発明は、錠剤を分包する順に配置された、錠剤が手撒きされる複数の錠剤マスを備え、前記錠剤マスが配置された順で、錠剤マスごとの錠剤を前記錠剤マスごとに順次１包化する包装システムの制御方法であって、前記錠剤マスに手撒きする錠剤の服用日数、及び服用時を含む処方データを取得する取得工程と、前記複数の錠剤マスと同一の配置で、前記複数の錠剤マスに対応する複数のエリアをガイダンス画面として表示し、前記取得工程で取得した処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示工程と、前記表示工程における表示を制御する制御工程とを備え、前記表示工程は、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示し、前記制御工程は、前記錠剤マスの１マス目に対応する前記エリアに割り当てられた服用時が、前記第１ガイダンス画面と前記第２ガイダンス画面とで同じになることを条件に、前記表示工程における表示を切り替えるように制御することを特徴とする。
【００１２】
また、本発明は、錠剤を分包する順に配置された、錠剤が手撒きされる複数の錠剤マスを備え、前記錠剤マスが配置された順で、錠剤マスごとの錠剤を前記錠剤マスごとに順次１包化する包装システムで読み取り実行可能なプログラムであって、前記包装システムを、前記錠剤マスに手撒きする錠剤の服用日数、及び服用時を含む処方データを取得する取得手段と、前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、前記表示手段による表示を制御する制御手段として機能させ、前記表示手段は、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示し、前記制御手段は、前記錠剤マスの１マス目に対応する前記エリアに割り当てられた服用時が、前記第１ガイダンス画面と前記第２ガイダンス画面とで同じになることを条件に、前記表示手段による表示を切り替えるように制御することを特徴とする。
【００１３】
また、本発明は、錠剤を分包する順に配置された、錠剤が手撒きされる複数の錠剤マスを備え、前記錠剤マスが配置された順で、錠剤マスごとの錠剤を前記錠剤マスごとに順次１包化する包装システムであって、前記錠剤マスに手撒きする錠剤の服用日数、及び服用時を含む処方データを取得する取得手段と、前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、前記錠剤マスの数を、前記取得手段で取得した服用時の数で除算したときに、余剰が発生するかを判定する判定手段とを備え、前記表示手段は、前記判定手段による判定結果に基づいた表示を行うことを特徴とする。
【００１４】
また、本発明は、錠剤を分包する順に配置された、錠剤が手撒きされる複数の錠剤マスを備え、前記錠剤マスが配置された順で、錠剤マスごとの錠剤を前記錠剤マスごとに順次１包化する包装システムの制御方法であって、前記錠剤マスに手撒きする錠剤の服用日数、及び服用時を含む処方データを取得する取得工程と、前記複数の錠剤マスと同一の配置で、前記複数の錠剤マスに対応する複数のエリアをガイダンス画面として表示し、前記取得工程で取得した処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示工程と、前記錠剤マスの数を、前記取得工程で取得した服用時の数で除算したときに、余剰が発生するかを判定する判定工程とを備え、前記表示工程は、前記判定工程における判定結果に基づいた表示を行うことを特徴とする。
【００１５】
また、本発明は、錠剤を分包する順に配置された、錠剤が手撒きされる複数の錠剤マスを備え、前記錠剤マスが配置された順で、錠剤マスごとの錠剤を前記錠剤マスごとに順次１包化する包装システムで読み取り実行可能なプログラムであって、前記包装システムを、前記錠剤マスに手撒きする錠剤の服用日数、及び服用時を含む処方データを取得する取得手段と、前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段と、前記錠剤マスの数を、前記取得手段で取得した服用時の数で除算したときに、余剰が発生するかを判定する判定手段として機能させ、前記表示手段は、前記判定手段による判定結果に基づいた表示を行うことを特徴とする。
【発明の効果】
【００１６】
本発明によると、錠剤マスに手撒きする錠剤のセット位置を、ユーザが間違える可能性を低減することができる。
【図面の簡単な説明】
【００１７】
【図１】包装装置と錠剤供給装置を示す図である。
【図２】包装装置５を上面から見た図である。
【図３】手撒き投入部１０２の断面図の一例を示す図である。
【図４】包装装置５の内部の錠剤スライド部４０１、スライド枠４０２の構造を示す図である。
【図５】分包動作が始まる前の段階における、錠剤マス２０１、シャッター３０１、錠剤スライド部４０１のスライド枠４０２の位置関係を示した図である。
【図６】錠剤スライド部４０１を支持する台の一例を示す図である。
【図７】フタＡ（６０１）、及びフタＢ（６０２）が閉じた状態、フタＣ（６０３）が開いた状態を示した図である。
【図８】包装ユニット８０１の内部構造を示す図である。
【図９】包装装置５のディスプレイ１０１や、ＰＣ３００のディスプレイに表示される基本設定画面である。
【図１０】手撒き錠剤部への錠剤のセット方法を示すガイダンス画面の一例を示す図である。
【図１１】手撒き錠剤部への錠剤のセット方法を示すガイダンス画面の一例を示す図である。
【図１２】本発明の第１の実施形態における、分包処理の一例を示す図である。
【図１３】包装装置５のメモリで記憶する処方データの一例を示す図である。
【図１４】本発明の第２の実施形態におけるガイダンス画面の一例を示す図である。
【図１５】本発明に係る錠剤供給システムのハードウェア構成の一例を示す図である。
【発明を実施するための形態】
【００１８】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１９】
まず、図１を用いて、本発明の錠剤供給システム（包装システム）について説明する。
【００２０】
図１は、供給された錠剤を包装する包装装置５と錠剤を取り出して包装装置５（以下、分包装置とも呼ぶ）に供給する錠剤供給装置１０（以下、錠剤取出装置とも呼ぶ）と、錠剤マスを備え、ユーザが錠剤マスに錠剤を手撒きする手撒き投入部１０２と、散薬投入部１０３と、ＰＣ（情報処理装置）３００を含む錠剤供給システム２００（以下、錠剤取出システム、包装システム、情報処理システムとも呼ぶ）を示す図である。
【００２１】
錠剤供給装置１０には、複数の錠剤取出ユニット１が搭載されており、この錠剤取出ユニット１により錠剤シートから錠剤が取り出される。このような錠剤取出ユニット１は、ＰＣ３００や包装装置５に設けられたタッチパネル式のディスプレイ１０１等から分包条件を入力されることで、錠剤の取出動作を行うことができる。
【００２２】
また、本実施形態に係る錠剤供給装置１０は、錠剤シート５１から錠剤を取り出して、錠剤を包装する包装装置５に錠剤を供給する。錠剤供給装置１０は、錠剤シートから取り出された錠剤を、錠剤供給装置１０の内部に設けられた導入路を介して落下させて集積する集積部を備える。
【００２３】
なお、本発明において、錠剤供給装置１０は必須の構成ではなく、包装装置５単体でもよい。また、ＰＣ３００は包装装置５の内部に設けられてもよい。
【００２４】
以上で図１の説明を終了し、次に図２について説明する。
【００２５】
図２は、包装装置５を上面から見た図である。
【００２６】
１０２は、ユーザによる手撒きにより錠剤を包装装置５にセットする手撒き投入部である。
【００２７】
２０１は、手撒き投入部１０２内の、１回分の錠剤をセットする錠剤マスであり、２０１は、４番目のマスを示している。
【００２８】
包装装置５には、図２の２０１に示すように、１回分の錠剤（１つに包装する錠剤）をセットする錠剤マスが、複数設けられている。錠剤マスは、ユーザにより錠剤が手撒きされるマスである。
【００２９】
２０２は、錠剤マスにセットされた錠剤（３錠）を示している。
【００３０】
１０１は、タッチパネル式のディスプレイであり、各種表示を行う表示部であると共に、ユーザによる各種操作を受け付ける部である。
【００３１】
ユーザが手撒きにより１回分の錠剤を各錠剤マスにセットして、当該錠剤マスにセットされた錠剤の分包を行う場合、各錠剤マスにセットされた錠剤を、１番の錠剤マスにセットされた錠剤から順番に、分包する。
【００３２】
つまり、本発明における、包装システムは、錠剤を分包する順に配置された、錠剤が手撒きされる複数の錠剤マスを備え、前記錠剤マスが配置された順で、錠剤マスごとの錠剤を前記錠剤マスごとに順次１包化する。
【００３３】
図２に示すように、手撒き投入部１０２は、３行１５列の計４５個の錠剤マス２０１を有している。以上で図２の説明を終了し、次に図３について説明する。
【００３４】
図３は、手撒き投入部１０２の断面図の一例を示す図である。
【００３５】
３０１は、手撒き投入部１０２の底面にあるシャッターである。シャッター３０１は、開いた状態での開口部を広く確保するために、２枚のシャッターが重なった構造となっている。シャッター３０１が左方向へ開くことによって、各錠剤マスにセットされている錠剤が下方向へ落下する。
【００３６】
図４は、包装装置５の内部の錠剤スライド部４０１、スライド枠４０２の構造である。
【００３７】
錠剤スライド部４０１は、分包動作が始まる前の段階では、手撒き投入部１０２の直下に配置されている。図４に示す通り、錠剤スライド部４０１は、スライド枠４０２を有している。
【００３８】
各スライド枠４０２は、上部に位置する各錠剤マスと、それぞれ対になるような形状で構成されており、分包動作が始まる前の段階では、各スライド枠４０２は、上部に位置する各錠剤マスと、それぞれ対になるよう配置されている。
【００３９】
錠剤スライド部４０１は、シャッター３０１が開くことにより各錠剤マスからスライド枠４０２に落下した錠剤を、左方向へスライドして搬送するためのものである。
【００４０】
錠剤スライド部４０１を左方向にスライドして搬送する動力源としてモータを備えており、当該モータにより錠剤スライド部４０１を左方向にスライドして搬送することが可能となる。
【００４１】
図５は、分包動作が始まる前の段階における、錠剤マス２０１、シャッター３０１、錠剤スライド部４０１のスライド枠４０２の位置関係を示した図である。
【００４２】
図５に示すように、分包動作が始まる前の段階では、錠剤マス２０１の真下に錠剤スライド部のスライド枠４０２が位置している。
【００４３】
錠剤スライド部４０１のスライド枠４０２は、底面を有していない。そのため、シャッター３０１が開くことにより錠剤マス２０１からスライド枠４０２に落下した錠剤は、錠剤スライド部４０１を支持している台を底面として保持される。
【００４４】
図６は、錠剤スライド部４０１を支持する台の一例を示す図である。
【００４５】
図６に示すように、錠剤スライド部４０１を支持する台の左側に、錠剤を堰き止めるフタ６０１、６０２、６０３を有している。
【００４６】
６０１は、錠剤スライド部４０１の奥の行のスライド枠内の錠剤を堰き止めるフタＡである。
【００４７】
６０２は、錠剤スライド部４０１の中央行のスライド枠内の錠剤を堰き止めるフタＢである。
【００４８】
６０３は、錠剤スライド部４０１の手前の行のスライド枠内の錠剤を堰き止めるフタＣである。
【００４９】
図７は、第３集積ホッパーの右側面から見た錠剤スライド部４０１を支持する台の、錠剤を堰き止めるフタ６０１、６０２、６０３と、第３集積ホッパー５０３の断面図の一例である。
【００５０】
図７に示すように、錠剤を堰き止めるフタ（錠剤堰き止めフタ）６０１、６０２、６０３を、それぞれ独立して開閉することができる。
【００５１】
各錠剤堰き止めフタ６０１、６０２、６０３のいずれかを開閉することにより、錠剤スライド部４０１の各行のスライド枠内の錠剤を、選択的に第３集積ホッパー５０３に落下させることができる。
【００５２】
各錠剤堰き止めフタ６０１、６０２、６０３の開閉は、不図示のモータにより個々に行われる。
【００５３】
なお、図７は、フタＡ（６０１）、及びフタＢ（６０２）が閉じた状態、フタＣ（６０３）が開いた状態を示している。
【００５４】
以上で図７の説明を終了し、次に、図８を用いて、包装ユニット８０１の内部構造について説明する。
【００５５】
図８は、包装ユニット８０１の内部構造を示す図である。
【００５６】
包装ユニット８０１は、包装装置５内のユニットである。
【００５７】
８０２は、包装シートが連なるロール紙（分包紙がロール状になっている紙）を包装機構に送り出すロール紙送出機構である。
【００５８】
８０３は、メインホッパー５０５内に集積された錠剤（１回分の錠剤）が包装シートの中に投入され、当該包装シートを加熱し溶着することにより、包装シートの中に投入された錠剤を、包装シートの中に封入する（包装機構）。
【００５９】
８０４は、メインホッパー５０５内に集積された錠剤が包装シートの中に投入され、当該包装シートを加熱し溶着することにより、包装シートの中に投入された錠剤を、包装シートの中に封入する（包装機構）。
【００６０】
すなわち、包装機構８０３と、包装機構８０４とで、包装シートを加熱し溶着することにより、包装シートの中に投入された錠剤を、包装シートの中に封入する。
【００６１】
８０５は、連なるロール紙を１包毎の包装シート（１つの包み８０２）に分断するための分断用ミシン目を包装シートに形成する分断機構である。
【００６２】
８０６はプリンタであり、包装シートに、日付、患者データ、エラー情報を印字する（印字機構）。
【００６３】
図８に示すように、包装ユニットにより、投薬１回分の錠剤が分包される。以上、図８の説明を終了し、次に図９について説明する。
【００６４】
図９は、包装装置５のディスプレイ１０１や、ＰＣ３００のディスプレイに表示される基本設定画面である。
【００６５】
図９の基本設定画面は、処方データに基づく、錠剤を包装するためのデータの入力を受け付ける画面である。
【００６６】
具体的には、図９に示すように、包装数、手撒き投入部１０２に手で撒いた錠剤を分包するか否かを示す情報、及び、どの錠剤取出し装置から何錠の錠剤をどのタイミングで取り出すのかを特定するための情報が入力される。
【００６７】
入力部９０１は、全ての包装数を入力する入力部である。図９の９０１の例では、２１包を分包することが設定されていることを示している。
【００６８】
９０２は、手撒き投入部１０２に手で撒いた錠剤を分包するか否かを示す情報を入力する入力部であり、「あり」又は「なし」を入力することが可能である。
【００６９】
入力部９０２に、「あり」が入力されている場合には、手撒き投入部１０２に手で撒いた錠剤を分包することが設定されていることを示し、「なし」が入力されている場合には、手撒き投入部１０２に手で撒いた錠剤を分包しないことが設定されていることを示している。
【００７０】
９０３は、錠剤取出し装置の設定画面を表示するための編集ボタンである。
【００７１】
９０４は、分包動作を一時停止させるためのストップボタンである。
【００７２】
９０５は、分包動作を、開始、又は一時停止状態から再開させるためのスタートボタンである。
【００７３】
包装装置５は、まず、表示部２０４に、図９の基本設定画面を表示して、ユーザによる各種情報の入力を受け付ける。
【００７４】
具体的には、ユーザが、入力部９０１に包装数（分包数）を、また、入力部９０２に手で撒いた錠剤を分包するか否かを示す情報（「あり」／「なし」）を入力し、包装装置５は、これらの情報の入力を受け付ける。
【００７５】
また、包装装置５は、編集ボタン９０３がユーザにより押下されると、錠剤取出し装置の設定画面を包装装置５のディスプレイ１０１や、ＰＣ３００のディスプレイに表示する。
【００７６】
ユーザは、錠剤取出し装置の設定画面を介して、各錠剤取出し装置で取り出される錠剤の、１日あたりの服用回数、及び、１回の服用錠剤数を入力する。なお、他の実施形態として、レセプトコンピュータから処方データを取得しても良い。
【００７７】
以上で図９の説明を終了する。
【００７８】
図１０は、包装装置５のディスプレイ１０１や、ＰＣ３００のディスプレイに表示される手撒き投入部１０２への錠剤の手撒き（セット）方法を示すガイダンス画面の一例を示す図であり、従来のガイダンス画面の一例である。
【００７９】
図１０のガイダンス画面を表示することで、錠剤を手撒き（セット）する錠剤マスの位置をユーザに知らせると同時に、ユーザに錠剤マスへ錠剤を手撒きするよう求めている。
【００８０】
なお、図１０の例は、錠剤マスが４５個（４５包分）であるのに対し、包装数が、４５包よりも多い６６包であるため、２回に分けて分包する場合の例である。１００１は、１回目にガイダンス画面に表示されるイメージであり、１００２は、１００１のイメージに従って錠剤マスに手撒きされた錠剤が、分包開始ボタン１００３が選択されることで分包された後に、残り（６６包‐４５包＝２１包）の錠剤を手撒きするために、２回目にガイダンス画面に表示されるイメージである。１００２が表示されるときには、１００１の表示は消えている。
【００８１】
１００１や１００２は、手撒き投入部１０２のイメージを表示する部分である。錠剤をセットする錠剤マスを黒色表示とし、服用のタイミングを確認できるよう朝、夕の文字が（「昼」や、「深夜」など、その他の服用タイミングがあれば、それらの文字も）表示される。
【００８２】
１００１では、４５包目が、「朝」で終わっているため、１００２の１包目は、「夕」で始まっている。
【００８３】
１００１と、１００２から分かるように、従来、１回目と、２回目で１包目の錠剤マスに手撒きする錠剤の服用タイミングは異なるが、ユーザは、２回目の錠剤を錠剤マスに撒く際に、うっかり１回目と同じように服用タイミング「朝」の錠剤を１包目に手撒きしてしまう恐れがあった。
【００８４】
そこで、本発明では、図１１に示すように、２回に分けて分包する場合に、１包目に手撒きする錠剤の服用タイミングが同じになるように制御する。では、ここで図１１について説明する。
【００８５】
図１１は、本発明における、手撒き投入部１０２への錠剤のセット方法を示すガイダンス画面の一例を示す図であり、図１１のガイダンス画面は、包装装置５のディスプレイ１０１や、ＰＣ３００のディスプレイに表示される。
【００８６】
図１１では、２回に分けて分包する場合であって、図１０のように設定すると１回目と、２回目で１包目の錠剤マスに手撒きする錠剤の服用タイミングが異なる場合に、１回目（１１０１）で４５包分手撒きしないように設定することで、２回目の１包目の錠剤マスに手撒きする錠剤の服用タイミングが１回目と同じになるようにする。図１１の例では、「夕」で切りよく終わる４４包目で、１回目は終了し、４５包目（「朝」）は、２回目の１包目に手撒きするように設定している。
【００８７】
そうすることで、ユーザが２回目の１包目に誤った服用タイミングの錠剤を錠剤マスに手撒きする可能性を低減することが可能となる。さらに、図１１では、４５包目には手撒きしないようにユーザに認識させるための通知１１０４が表示される。
【００８８】
なお、１００１、１１０１、本発明の実施形態における第１ガイダンス画面の一例であり、１００２、１１０２、本発明の実施形態における第２ガイダンス画面の一例である。そして、図１１では、前記服用日数の数が、前記錠剤マスの数を超えることを条件に、前記エリアの数分服用時が割り当てられた前記エリアが表示される第１ガイダンス画面を表示した後、再度、前記エリアに残りの服用日数分の服用時が割り当てられた前記エリアが表示される第２ガイダンス画面を表示している。
【００８９】
以上で図１０と図１１の説明を終了する。
【００９０】
では、ここから、図１２の図面を用いて本発明の処理について説明するが、その前に、まず図１５を用いて、ＰＣ３００と、錠剤供給システム２００のハードウェア構成の一例について説明する。
【００９１】
図１５では、ＰＣ３００のＣＰＵ３０と、包装装置５のＣＰＵ５７と、錠剤供給装置１０のＣＰＵ１１とがそれぞれ連携して、包装装置５が制御する各装置（各ユニット）、及び、錠剤供給装置１０が制御する各装置（各ユニット）の各種動作を制御している一例を示している。しかし１つのＣＰＵが、錠剤供給システムの全ての各装置を制御する構成でも構わない。
【００９２】
まずＰＣ３００のハードウェア構成について説明する。ＰＣ３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００９３】
また、ＣＰＵ３０は、キーボードや不図示のマウス等の入力端末からの入力を制御する。ビデオコントローラ（ＶＣ）は、ディスプレイ３４等の表示部への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク或いはＰＣＭＣＩＡカードスロットにアダプタを介して接続されるコンパクトフラッシュ（登録商標）メモリ等の外部メモリ３６へのアクセスを制御することもできる。
【００９４】
またＩ／Ｆ３２は、ネットワークを介して外部機器と接続・通信するものであり、本実施形態においては包装装置５のＩ／Ｆ５５０と通信可能に接続されている。
【００９５】
次に、包装装置５のハードウェア構成について説明する。包装装置５のＣＰＵ５７は、バスに接続されている各デバイスを統括的に制御することができる。ＲＯＭ５２２にはＣＰＵ５７の制御ブログラムや各種制御プログラムが記憶されている。ＲＡＭ５３は、ＣＰＵ５７が動作するためのシステムワークメモリとして機能する。ＣＰＵ５７は、タッチパネル式のディスプレイ１０１に対して表示制御したり、ディスプレイ１０１のタッチパネル機能を入力端末６２としてユーザから情報の入力を受け付けたり、プリンタ５０６に印刷指示を出したりすることもできる。さらにＣＰＵ５７は、包装装置５の散薬投入部１０３から投入された散薬を１包に包装する際に動作させる散薬分包機構５５を制御したり、ユーザから手撒き投入部１０２に投入された錠剤を包装する際に動作させる手撒き投入機構５６を制御したりすることができる。そして包装装置５と錠剤供給装置１０とは、包装装置５のＩ／Ｏ５４と錠剤供給装置１０のＩ／Ｏ１２とで通信可能に接続されている。
【００９６】
次に、錠剤供給装置１０のハードウェア構成について説明する。錠剤供給装置１０のＣＰＵ１１は、バスに接続されている各デバイスを統括的に制御することができる。ＲＯＭ１４にはＣＰＵ１１の制御ブログラムや各種制御プログラムが記憶されている。ＲＡＭ１３は、ＣＰＵ１１が動作するためのシステムワークメモリとして機能する。ＣＰＵ１１は、さらに錠剤取出機構１５における取出動作を制御したり、錠剤シートを搬送する搬送機構１６を制御したりすることもできる。
【００９７】
このようなハードウェア構成においては、以下のように錠剤取出を行うように制御することができる。まず、包装装置５のＣＰＵ５７が、錠剤供給装置１０のＣＰＵ１１に対して、錠剤の取出動作命令を送信する。
【００９８】
そして、錠剤供給装置１０のＣＰＵ１１が、当該取出動作命令に従って、錠剤取出機構１５や搬送機構１６を制御して錠剤取出動作を行わせることができる。また、錠剤供給装置１０のＣＰＵ１１は、包装装置５のＣＰＵ５７に対して、錠剤取出動作の状況を示す動作情報を送信することもできる。
【００９９】
次に図１２を用いて、本発明の第１の実施形態における、分包処理について、説明する。
【０１００】
図１２は、本発明の第１の実施形態における、分包処理の一例を示す図であり、図１２に示す各処理は、包装装置５のＣＰＵ５７が実行する。
【０１０１】
ステップＳ１２０１において、包装装置５は、レセプトコンピュータから処方データを取得する。なお、他の実施形態として、包装装置５のディスプレイ１０１に表示される図９の基本設定画面を介してユーザからこれから包装する薬品の情報（処方データ）の入力を受け付けても良い。
【０１０２】
ステップＳ１２０１は、本発明における、前記錠剤マスに手撒きする錠剤の服用日数、及び服用時を含む処方データを取得する取得手段の一例である。
【０１０３】
ステップＳ１２０１で取得する処方データとは、例えば図１３に示す処方データ１３００である。
【０１０４】
そして、ステップＳ１２０１で取得した処方データのうちの１つを選択し、ステップＳ１２０２以降の処理を実行する。
【０１０５】
ステップＳ１２０２において、包装装置５は、手撒き投入部１０２の錠剤マス２０１の数（本実施形態では、４５個）よりも、包装数が多いかを判定する。包装装置５は、錠剤マス２０１の数よりも、包装数が多い場合には、ステップＳ１２０３に処理を移行し、錠剤マス２０１の数よりも、包装数が少ない、または同じである場合には、ステップＳ１２０６に処理を移行する。
【０１０６】
なお、包装数とは、処方データ１３００の全分包数１３０３に記憶されている値である。
【０１０７】
処方データ１３００では、処方Ｎｏ．（１３０１）が「１」、「２」、「３」の処方データが、錠剤マス２０１の数よりも、包装数が多く、処方Ｎｏ．（１３０１）が「４」の処方データが、錠剤マス２０１の数よりも、包装数が少ない。
【０１０８】
ステップＳ１２０２の処理を実行する理由は、錠剤マス２０１の数よりも、包装数が少ない、または同じである場合には、本発明が解決しようとする課題が発生せず、後述するステップＳ１２０５の処理を実行する必要がないためである。
【０１０９】
ステップＳ１２０３において、包装装置５は、処方データの全服用タイミングにおいて、錠剤の種類と数が同じであるかを判定する。処方データの全服用タイミングにおいて、錠剤の種類と数が同じであれば、包装装置５は、ステップＳ１２０６に処理を移行し、処方データの全服用タイミングにおいて、錠剤の種類と数が同じでなければ、ステップＳ１２０４に処理を移行する。
【０１１０】
、処方データの全服用タイミングにおいて、錠剤の種類と数が同じかは、処方データ１３００の服用パターン１３０２と、錠剤名１３０４の情報をもとに特定する。
【０１１１】
より具体的には、処方Ｎｏ．（１３０１）が「３」の処方データのように、「朝」「夕」どちらも「錠剤Ｖ」を「３錠」、「錠剤Ｚ」を「２錠」である場合には、各服用タイミングで包装する錠剤の数、および種類が同じであると特定され、包装装置５は、ステップＳ１２０６に処理を移行する。一方で、処方Ｎｏ．（１３０１）が「１」、「２」の処方データは、服用タイミングによって、包装する錠剤数が異なるため、包装装置５は、ステップＳ１２０４に処理を移行する。
【０１１２】
ステップＳ１２０３の処理を実行する理由は、処方データの全服用タイミングにおいて、錠剤の種類と数が同じである場合には、たとえ、「朝」と「夕」を間違ったとしても、包装する錠剤の数、および種類が同じであるため問題にならず、後述するステップＳ１２０５の処理を実行する必要がないためである。
【０１１３】
ステップＳ１２０４において、包装装置５は、錠剤マス２０１の数を処方データに含まれる服用タイミングの数で割った時に、余剰が発生するか否かを判定する。包装装置５は、余剰が発生する場合には、ステップＳ１２０５に処理を移行し、余剰が発生しない場合には、ステップＳ１２０６に処理を移行する。
【０１１４】
ステップＳ１２０４の処理を実行する理由は、余剰がない場合には、１回目と、２回目で１包目の錠剤マスに手撒きする錠剤の服用タイミングが同じであるため、本発明が解決しようとする課題が発生せず、後述するステップＳ１２０５の処理を実行する必要がないためである。
【０１１５】
服用タイミング数とは、処方データ１３００の服用パターン１３０２で、数字が０となっていない服用タイミングの数である。
【０１１６】
処方Ｎｏ．（１３０１）が「１」、「２」の処方データを例にすると、処方Ｎｏ．（１３０１）が「１」の処方データは、服用タイミング数が「２」であり、処方Ｎｏ．（１３０１）が「２」の処方データは、服用タイミング数が「３」である。したがって、処方Ｎｏ．（１３０１）が「１」の処方データは、４５個（錠剤マス数）÷２＝２２（余剰１）となり、余剰が発生するので、包装装置５は、ステップＳ１２０５に処理を移行し、処方Ｎｏ．（１３０１）が「２」の処方データは、４５個（錠剤マス数）÷３＝１５（余剰なし）となり、余剰が発生しないので、包装装置５は、ステップＳ１２０６に処理を移行する。
【０１１７】
ステップＳ１２０５において、包装装置５は、１回目と、２回目で１包目の錠剤マスに手撒きする錠剤の服用タイミングが同じになるように、処方データを分割する。
【０１１８】
処方Ｎｏ．（１３０１）が「１」の処方データを例に、ステップＳ１２０５の処理をより具体的に説明すると、処方Ｎｏ．（１３０１）が「１」の処方データは、１回目に４５包分手撒きすると、１回目の４５包目が「朝」になり、２回目の１包目が「夕」になるため、全分包数１３０３が「４４」の処方データと、全分包数１３０３が「２２」の処方データに分割する。そうすることで、１回目の４４包目が「夕」で終わり、２回目の１包目が「朝」から始まるため、１回目と、２回目で１包目の錠剤マスに手撒きする錠剤の服用タイミングが同じになる。
【０１１９】
処方Ｎｏ．（１３０１）が「１」の処方データを、ステップＳ１２０５の処理により分割した結果が、処方データ１３０６である。処方データ１３０６では、処方Ｎｏ．（１３０１）が「１」の処方データが、処方Ｎｏ．（１３０１）が「１．１」の処方データと「１．２」の処方データとに分割されている。なお、処方データを分割した場合には、それら分割した処方データは連続して分包する。
【０１２０】
ステップＳ１２０６において、包装装置５は、錠剤マスに処方データを割り当てる。具体的には、１包目（１マス目）は、「朝」の服用タイミングの錠剤を手撒きすると設定し、２包目（２マス目）は、「夕」の服用タイミングの錠剤を手撒きするといった設定を行う。
【０１２１】
ステップＳ１２０７において、包装装置５は、ステップＳ１２０６の処理を実行した結果を包装装置５のディスプレイ１０１に表示する。ステップＳ１２０７で表示される画面とは、例えば、図１１のガイダンス画面である。
【０１２２】
すなわち、ステップＳ１２０４では、錠剤マスの１マス目に対応する前記エリアに割り当てられた服用時が、１回目（第１ガイダンス画面）と２回目（第２ガイダンス画面）とで同じになるかを特定し、それによって、ステップＳ１２０７におけるガイダンス画面の表示を切り替えるように制御している。
【０１２３】
ステップＳ１２０７は、本発明における、前記複数の錠剤マスと同一の配置で、前記複数の錠剤マスに対応する複数のエリアをガイダンス画面として表示し、前記取得手段で取得された処方データに従って、前記順次１包化される順に配置された各錠剤マスの前記エリアに、当該順次１包化される順で、１日の各服用時が連続して、服用日毎に割り当てられ、当該割り当てられた服用時を識別できるように、当該服用時が割り当てられた前記エリアが表示されるガイダンス画面を表示する表示手段の一例である。
【０１２４】
ステップＳ１２０８において、包装装置５は、ユーザ操作を受け付ける。
【０１２５】
ステップＳ１２０９において、包装装置５は、ステップＳ１２０８でユーザから受け付けた操作が分包開始指示か（分包開始ボタン１００３や分包開始ボタン１１０３が選択されたか）を判定する。包装装置５は、分包開始指示であれば、ステップＳ１２１０に処理を移行し、分包開始指示でなければ受け付けた操作に従った動作を行い、分包開始指示を受け付けるまで待機する。
【０１２６】
ステップＳ１２１０において、包装装置５は、錠剤取出ユニット１にセットされた錠剤シートや、手撒き投入部１０２の錠剤マスに手撒きされた錠剤や、散薬投入部１０３に投入された散薬等の薬剤の供給を行う。
【０１２７】
ステップＳ１２１１において、包装装置５は、ステップＳ１２１０で供給された薬剤を分包紙に分包（包装）する動作を行う。
【０１２８】
ステップＳ１２１２において、包装装置５は、分包が完了したかを判定する。包装装置５は、分包が完了したならば、ステップＳ１２１３に処理を移行し、分包が完了してなければステップＳ１２０８に処理を移行する。分包が完了していない場合とは、全分包数１３０３が錠剤マスの数よりも多く、２回に分けて分包する場合である。ステップＳ１２１２からステップＳ１２０８に処理が移行する場合には、包装装置５のディスプレイ１０１に２回目のガイダンス画面（１１０２）が表示される。
【０１２９】
ステップＳ１２１３において、包装装置５は、ユーザから終了指示を受け付けたかを判定する。終了指示を受け付けたならば、本処理を終了し、終了指示を受け付けなければ、ステップＳ１２０２に処理を移行し、未処理の処方データについて、ステップＳ１２０２以降の処理を実行する。
【０１３０】
なお、本実施形態では、図１２に示す各処理を包装装置５のＣＰＵ５７が実行するとしたが、他の実施形態として、ステップＳ１２０１〜ステップＳ１２０９までの処理をＰＣ３００のＣＰＵ３０が実行し、ＰＣ３００から包装装置５に対して分包開始指示を送信し、ＰＣ３００からの分包開始指示（処方データを含む）を受け取った包装装置５が、ステップＳ１２１１以降の処理を行ってもよい。以上で図１２の説明を終了し、次に図１３について説明する。
【０１３１】
図１３の処方データ１３００は、ステップＳ１２０１において、包装装置５がレセプトコンピュータから取得し、包装装置５のメモリで記憶する処方データの一例を示す図である。
【０１３２】
処方Ｎｏ．１３０１は、各処方データを識別するための番号を示す。服用パターン１３０２は、各処方データに含まれる薬剤の服用パターン（左から朝、昼、夜何錠ずつ服用するか）を示す。
【０１３３】
図１３の全分包数１３０３は、錠剤名１３０４に示す薬剤を分包する包の数を示す。１包には同一の処方データに含まれる同じ服用タイミングの薬剤が全て包装される。つまり、図１３の「処方Ｎｏ．１」の夜を例にすると、「錠剤Ａ」２錠と、「錠剤Ｃ」２錠が１つの包に包装されることになる。
【０１３４】
錠剤名１３０４は、各錠剤を特定するための薬剤名を示す。
【０１３５】
患者名１３０５は、処方Ｎｏ．１３０１に示される処方データの処方対象となっている患者の名前を示す。
【０１３６】
図１３の処方データ１３０６は、ステップＳ１２０５の処理により、分割された処方データである。以上で、図１３の説明を終了し、次に図１４を用いて、本発明の第２の実施形態について説明する。
【０１３７】
図１２の処理では、ステップＳ１２０４において、余剰が発生すると判定された場合に、ステップＳ１２０５で処方デーを分割していたが、第２の実施形態では、処方データを分割することなく、従来と同じように、１回目と、２回目で１包目の錠剤マスに手撒きする錠剤の服用タイミングが異なるままにし、その代わり、図１４に示すガイダンス画面を包装装置５のディスプレイ１０１に表示する。
【０１３８】
図１４は、本発明の第２の実施形態におけるガイダンス画面の一例を示す図である。１４０２や、１４０３は、１００１、１００２、１１０１、１１０２と同様に、手撒き投入部のイメージを表示する部分である。
【０１３９】
通知１４０１は、１回目と、２回目で１包目の錠剤マスに手撒きする錠剤の服用タイミングが異なることをユーザに認識させるための通知である。
【０１４０】
ユーザは、通知１４０１を確認することにより、１回目と、２回目で１包目の錠剤マスに手撒きする錠剤の服用タイミングが異なることを認識できるため、ユーザが２回目の１包目に誤った服用タイミングの錠剤を錠剤マスに手撒きする可能性を低減することが可能となる。
【０１４１】
分包開始ボタン１４０３は、分包を開始するためのボタンである。
【０１４２】
なお、図１４のガイダンス画面に処方データ分割ボタンを設け、当該ボタンが選択されることで、図１２の処理と同様に処方データを分割しても良い。その場合、処方データ分割ボタンは、ステップＳ１２０４において、余剰が発生すると判定された場合に表示するものとする。
【０１４３】
以上、本発明によると、錠剤マスに手撒きする錠剤のセット位置を、ユーザが間違える可能性を低減することができる。
【０１４４】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１４５】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１４６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１４７】
その場合、プログラムの機能を有していれば、オブジェクトコード、インタプリタにより実行されるプログラム、ＯＳに供給するスクリプトデータ等の形態であってもよい。
【０１４８】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１４９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１５０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１５２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１５３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１５４】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１５５】
５      包装装置
１０    錠剤供給装置
２００  錠剤供給システム
【図１】
2019107352.tif 000003
【図２】
2019107352.tif 000004
【図３】
2019107352.tif 000005
【図４】
2019107352.tif 000006
【図５】
2019107352.tif 000007
【図６】
2019107352.tif 000008
【図７】
2019107352.tif 000009
【図８】
2019107352.tif 000010
【図９】
2019107352.tif 000011
【図１０】
2019107352.tif 000012
【図１１】
2019107352.tif 000013
【図１２】
2019107352.tif 000014
【図１３】
2019107352.tif 000015
【図１４】
2019107352.tif 000016
【図１５】
2019107352.tif 000017